(57)【特許請求の範囲】
【請求項１】
前板と前板裏面に突設して配される収納箱とを備え、シンク下のキャビネットに組込まれる引出し部材において、複数の収納箱を前板裏面の両側端部に並設することで、各収納箱間にシンク用の配管スペースを形成したものであり、各収納箱の前板側に収納容器をその上縁部に設けたフックを収納箱の側板に係合させて架設することでキャビネットの奥側に配管スペースを形成するようにしたことを特徴とする引出し部材。
【請求項２】
収納容器を収納箱の奥行き方向に伸縮自在としたことを特徴とする請求項１に記載の引出し部材。
【発明の詳細な説明】
【０００１】
【発明の属する技術分野】
本発明は、シンク下のキャビネットに組込まれる引出し部材に関するものである。
【０００２】
【従来の技術】
従来から、図１２に示すようにキッチンユニットにおけるシンク（４）下のキャビネット（５）は、前面に観音扉（１６）を備え、内部をシンク（４）と直接繋がる排水管や、シンク（４）近傍に設置される水栓と繋がる給水管などの各種配管を納める配管スペースとして活用していた。
【０００３】
又、各種配管の他にも浄水器、ディスポーザー等の設備機器を収納するスペースとして活用されてもいた。
【０００４】
これにより、見栄えの良くない配管や、設置場所に困る浄水器、ディスポーザー等を効率良く納めることができるようになる。その結果、キッチンユニットの外観は大幅に向上し、このキッチンユニットを設置することで台所をすっきりと見せることができるようになった。
【０００５】
【発明が解決しようとする課題】
しかしながら、上記従来の技術においては、空間利用の点で問題を生じていた。即ち、各種配管についてはシンク（４）下のキャビネット（５）の内部空間全てを占有するほどの大きさではないし、浄水器、ディスポーザーについても同様に内部空間全てを占有することはないので、内部空間の大部分が未活用空間として残ってしまうのである。
【０００６】
これはシンク（４）下のキャビネット（５）が、シンク（４）以上の大きさを有するものであることに起因する。キャビネット（５）はその構造が天板と底板と側板と裏板と観音扉とで構成される為、シンク（４）よりも小さいキャビネット（５）を２つ並べて並設し、これでもってシンク（４）を支えようとすると、側板上部に欠取りが必要となり、キャビネット（５）の強度低下を招くのである。又、生産効率の点においてもわざわざ２つの箱を用意するのも賢いやり方とは言えないものがあった。
【０００７】
このように、シンク（４）の大きさによって決定付けられるシンク（４）下のキャビネットと、その内部に格納される各種配管や設備機器には大きさの面で大きな隔たりがあり、シンク（４）下には各種配管や設備機器を格納してもなお、収納部として活用できる空間が残されているのであった。
【０００８】
本発明は、上記事由に鑑みてなしたもので、その目的とするところは、シンク下のキャビネットの内部空間を効率良く活用できる引出し部材を提供することにある。
【０００９】
【課題を解決するための手段】
上記目的を達成するために、本発明の引出し部材にあっては、請求項１に記載したように、前板と前板裏面に突設して配される収納箱とを備え、シンク下のキャビネットに組込まれる引出し部材において、複数の収納箱を前板裏面の両側端部に並設することで、各収納箱間にシンク用の配管スペースを形成したことを特徴とする。
【００１０】
これにより、シンク下のキャビネットの内部空間を効率良く活用できる。即ち、複数の収納箱を前板裏面の両側端部に並設することで、各収納箱間にシンク用の配管スペースを形成したので、キャビネットの内部空間は配管スペースと収納箱によって形成される収納スペースとの２つのスペースが現出することになる。これは従来配管スペースや設備機器の格納スペース程度にしか利用されていなかったキャビネットの内部空間に、配管スペースと収納スペースといった新しい組み合わせの空間を現出させたことであり、本願請求項１に係る発明の大きな特色といえる。
【００１１】
中でも収納スペースは引出し自在の収納箱で形成されているので、その利用価値は極めて高く、台所周りの物を効率良く収納できるスペースとして、重宝なものなる。
【００１２】
又、本発明の引出し部材にあっては、請求項１に記載したように、各収納箱の前板側に収納容器をその上縁部に設けたフックを収納箱の側板に係合させて架設することでキャビネットの奥側に配管スペースを形成するようにしたことを特徴とする。
【００１３】
この場合、シンク下のキャビネットの内部空間を一層効率良く活用できる。即ち、シンクからの排水管やシンク近傍に設置される水栓の給水管などの配管は、キャビネットの奥側に配される。この為、配管スペースはキャビネットの奥行き方向略全長に渡って必要とするものではなく、奥側にさえあれば事足りる。
【００１４】
本願請求項１に係る発明は上記現状に着眼し、各収納箱の前板側に収納容器を架設することで、配管スペースの機能を損なうことなく、キャビネット内の収納効率を一層向上せしめている。
【００１５】
又、本発明の引出し部材にあっては、請求項２に記載したように、収納容器を収納箱の奥行き方向に伸縮自在としたことを特徴とする。
【００１６】
この場合、配管に応じた適切な奥行きの収納容器とすることができる。即ち、キャビネットは様々な条件下のもとに設置される。排水管についてはＳトラップやＰトラップ等の違いがあり、給水管については壁からの給水や床下からの給水等の違いがある。このように様々な形態をとる配管に対して、本願請求項２に係る発明は、収納箱を奥行き方向に伸縮自在とすることで、臨機応変に対応できるものとしている。
【００１７】
【発明の実施の形態】
［参考形態］図１乃至４は、本発明の基本的構成となる参考形態としての引出し部材を示す説明図である。
【００１８】
本参考形態の引出し部材は、図１に示すように前板（１）と前板（１）裏面に接合される２つの収納箱（２）とで形成される。このものは，図２、３で示すようシンク下に配さるキャビネットに組込まれてなる。又、これらの図が示すように引出し部材は上下２段に組込まれ、上段に大型のものを、下段に小型のものを配してなる。
【００１９】
前板（１）は外形が横長の略長方形となっている。
【００２０】
収納箱（２）は２つ有り、前板（１）裏面の両側端部に各々接合される。この時、各収納箱（２）の間には配管スペース（６）が設けられる。配管スペース（６）は、シンク（４）に繋がる排水管やシンク（４）近傍に設置される水栓（７）に繋がる給水管が納まる程度の広さを有している。又、接合に際しては、図４に示すように収納箱（２）の下面と前板（１）の裏面とがＬ型接合具（８）で強固に接合される。
【００２１】
又、収納箱（２）は平面外形が略長方形を成す直方体のもので、キャビネット（５）の裏板近傍に至る程度の奥行きを有し、上部に開口を備えている。
【００２２】
又、２つ並べた各収納箱（２）の外側となる面にはスライドレール（９）が設けられてなる。又、キャビネット（５）の側板内面には前記スライドレール（９）と係合する保持レール（図示せず）が設けられ、スライドレール（９）と保持レールが係合した状態で円滑にスライドする。
【００２３】
［実施の形態］図５乃至９は、本発明の実施の形態である引出し部材を示す説明図である。又、図２乃至４についても上記参考形態と共通して本実施の形態の説明図とする。
【００２４】
このものは上記参考形態と比較して，図５、６に示すように各収納箱（２）間に架設される収納容器（３）について異なるものとする。
【００２５】
収納容器（３）は各収納箱（２）間に架設され、キャビネット（５）の奥行き方向に伸縮自在のものとなっている。伸縮の為の機構は、図７乃至９に示すように大小２つの箱体（１１）（１１’）を重合することによる。ここで言う所の箱体（１１）は、略四角形の底板部と、前記四角形の３辺に立設される立板部とで形成されるものである。尚、この収納容器（３）はオプションとして扱われ、顧客の好みによって適宜設けられる。
【００２６】
又、重合に際しては、各箱体（１１）（１１’）の立板部が存しない部位を向い合せて行うものとする。又、図７に示すように伸縮の許容幅は収納容器（３）が縮んだ状態をａ寸法とすると、最大１．５ａまでとする。これは、あまりに引出すと、引出した部分が垂れてしまうからである。
【００２７】
又、重合に際しては、図８、９に示すように大きい方の箱体（１１）の木口面に、小さい方の箱体（１１’）が挿入可能な穴を設けて、小さい方の箱体（１１’）を大きい方の箱体（１１）の前記穴の中に挿入しても良い。この場合は、小さい方の箱体（１１’）底部の下面に凸条帯（１３）を設け、大きい方の箱体（１１）の穴の下面に凹条帯（１４）を設け、滑らかに重合できるようにしても良い。
【００２８】
又、前述した内容の他に、大きい方の箱体（１１）の伸縮方向に沿った上縁部には収納箱（２）の側板と係合する為のフック（１５）が設けてある。このフック（１５）は箱体（１１）の立板部と立板部上縁で外方に突出する突出片と突出片の先端で下方に垂設される係合片とで形成される。
【００２９】
又、上記の他に、図１０、１１のように箱体（１１）（１１’）を上下に重合させ、重合させた形状を固定する為に固定用のビス（１２）を底板部に配するようにしても良い。この場合、固定用のビス（１２）が貫通する孔は伸縮方向を長軸とした長孔としている。
【００３０】
このように、以上説明した引出し部材によると前述した各請求項に係る効果の他に、２つの収納箱（２）を配管スペース（６）をあけて略水平方向に並設して、１つの前板（１）に接合した点において、他に存在しないものと成り得る。即ち、例えば、２つの収納箱（２）を略垂直方向に配して、１つの前板（１）に接合するようなものは有り得るかも知れない。この場合、各収納箱（２）のスライドは各収納箱（２）の側面に配したスライドレールによってなされる。スライドの動きは各収納箱（２）によって完結するのである。それに対して本願発明は各収納箱（２）の片方の側面にスライドレール（９）を設け、２つの収納箱（２）が揃って初めてスライドするという機構を用いており、これにより、生産効率の高い直方体の外形を有する収納箱（２）と、上下方向に確保された配管スペース（６）とを両立することできる。
【００３１】
例えば、配管スペース（６）を設ける為に収納箱（２）の平面外形をコの字形とする試みもあったかもしれないが、そのような技術的思想ではいたずらに収納箱（２）の生産性を低下させるだけで、たいしたものとは成り得ない。本実施の形態においては、２つの横方向に並設された収納箱（２）と、それを連結する１つの前板（１）とによって引出し部材を形成することで、収納箱（２）を生産効率の良い直方体で成し、尚且つ上下方向に配される配管を巧みに納める配管スペース（６）を現出させている。
【００３２】
又、収納箱（２）は複数設けられことで、自ずからその容積は小さなものとなり台所周りの小物を効率良く収納することができるようになる。台所は主として女性が使うことが多い為、小物類が多数集まってくる。本願実施の形態においては、そのような小物類を効率良く収納する収納スペースをキッチンキャビネットの外寸を特別に大きくすることなく創出することで、狭い日本住宅の中に小さな快適を生み出しているといえる。
【００３３】
又、本願発明の引出し部材は、上述したキッチンキャビネットのみならず、洗面化粧台においても活用できるものとする。
【００３４】
【発明の効果】
上述の如く、請求項１記載の発明によれば、各収納箱を前板裏面の両側端部にシンク用の配管スペースをあけて並設したので、配管スペースに各種配管を配し、その他の空間を引出し自在な収納箱として活用できる。
【００３５】
そして、請求項１記載の発明によれば、配管スペースはキャビネットの奥行き方向略全長に渡って必要とするものではなく、奥側にさえあれば事足りるので、それ以外の部位を収納容器によって効率良く活用できる。
【００３６】
そして、請求項２記載の発明によれば、収納箱を奥行き方向に伸縮自在とすることで、配管に応じた適切な奥行きの収納容器とすることができる。
【図面の簡単な説明】
【図１】  本発明の参考形態である引出し部材を示す斜視図である。
【図２】  該参考形態である引出し部材が組込まれたキャビネットを示す斜視図である。
【図３】  該参考形態である引出し部材が組込まれたキャビネットを示す正面図である。
【図４】  該参考形態である引出し部材を示す側面図である。
【図５】  本発明の実施の形態である引出し部材を示す斜視図である。
【図６】該実施の形態である引出し部材を示す斜視図である。
【図７】該実施の形態である引出し部材の収納容器を示す斜視図である。
【図８】該実施の形態である引出し部材の収納容器を示す断面図である。
【図９】該実施の形態である引出し部材の収納容器を示す断面詳細図である。
【図１０】該実施の形態である引出し部材の別の形態の収納容器を示す斜視図である。
【図１１】該実施の形態である引出し部材の別の形態の収納容器を示す断面詳細図である。
【図１２】本発明の従来の技術であるシンク下のキャビネットを示す斜視図である。
【符号の説明】
１    前板
２    収納箱
３    収納容器
４    シンク
５    キャビネット
６    配管スペース
【図１】
0003823868.tif 000002
【図２】
0003823868.tif 000003
【図３】
0003823868.tif 000004
【図４】
0003823868.tif 000005
【図５】
0003823868.tif 000006
【図６】
0003823868.tif 000007
【図７】
0003823868.tif 000008
【図８】
0003823868.tif 000009
【図９】
0003823868.tif 000010
【図１０】
0003823868.tif 000011
【図１１】
0003823868.tif 000012
【図１２】
0003823868.tif 000013